(57)【要約】      （修正有）【課題】中高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供すること。【解決手段】このアタッチメント２０は、排水管又は継手１４の下端部１４ｂに取り付けられる筒状の不燃性ハウジング２１と、前記ハウジング１２の上下に貫通する貫通孔２０ａを閉塞する金属製の蓋部材２２と、前記蓋部材２２の回動端部２２ａを係止する可燃性係止部２３とからなる。【選択図】図２
2008045672.tif 000002
【特許請求の範囲】
【請求項１】
中高層集合住宅等の建築物の床又は壁等の防火区画を貫通する排水管又は継手に取り付けられる防火アタッチメントであって、
樹脂製の排水立管端部を収める収納部を有し、前記排水管又は継手の端部に取り付けることで、前記排水立管端部から排水管又は継手の端部の開口へと繋がる管路が形成されると共に、火災時の熱によって前記管路が閉塞されるようにしたことを特徴とする防火アタッチメント。
【請求項２】
樹脂製の排水立管端部を収める収納部を有する筒状の不燃性ハウジングと、前記ハウジングの上下に貫通する貫通孔を閉塞する金属製蓋部材と、前記蓋部材の回動端部を係止する可燃性係止部とからなり、火災時の熱によって前記可燃性係止部が溶融して炭化し、これにより係止状態を解かれた前記蓋部材が回動して前記ハウジングの貫通孔を閉塞するようにしたことを特徴とする請求項１記載の防火アタッチメント。
【請求項３】
樹脂製の排水立管端部を収める収納部を有する筒状の不燃性ハウジングと、前記ハウジングの上下に貫通する貫通孔を閉塞する金属製蓋部材と、前記蓋部材の回動端部を磁着する磁石とからなり、火災時の熱によって前記磁石の磁力が消失し、前記蓋部材が回動して前記ハウジングの貫通孔を閉塞するようにしたことを特徴とする請求項１記載の防火アタッチメント。
【請求項４】
樹脂製の排水立管端部を収める収納部を有する筒状の不燃性ハウジングと、貫通孔を有し、前記ハウジング内に回転可能に軸支され、該ハウジングの上下に貫通する孔を閉塞する金属製偏心部材と、前記偏心部材を該ハウジングの上下に貫通する孔と該偏心部材の貫通孔とが連通するように該偏心部材の位置を保持する可燃性の保持部材とからなり、火災時の熱によって前記保持部材が溶融して炭化し、これに伴い前記偏心部材が重力に従って軸周りに回転し、前記ハウジングの貫通孔を閉塞するようにしたことを特徴とする請求項１記載の防火アタッチメント。
【発明の詳細な説明】
【技術分野】
【０００１】
本発明は、中高層集合住宅等の建築物の床又は壁等の防火区画を貫通する排水管又は継手に取り付けられる防火アタッチメントに関し、詳細には各階の防火区画を貫通する排水管又は継手に取り付けられて、該排水管又は継手の管路を通じた他の防火区画への類焼を防止するようにした防火アタッチメントに関する。
【背景技術】
【０００２】
従来より、複数の住戸専有部分を備える中高層集合住宅等の建築物の排水設備１は、図８に示すように、建築物の上下方向に延びる排水立管２と、建築物の各階毎に設けられて、各階の住居部分の設備等からの排水を前記排水立管２まで導く排水横枝管３と、排水立管２と排水横枝管３とを接続する排水管又は継手４とを有してなり、排水管又は継手４は、その胴部４ａがコンクリートスラブＣの貫通孔Ｃ１に通されており、その胴部Ｃによって上階の排水立管２と下階の排水立て管２とが接続されるようになっている。排水管又は継手４は、胴部４ａがコンクリートスラブＣの貫通孔Ｃ１に通された後、その胴部４ａと貫通孔Ｃ１の隙間部分がモルタルＭにより埋め戻されている（特許文献１参照）。
【０００３】
上記従来の排水設備において、建築物の上下方向に延びる排水立管２には、下階から上階への類焼を防ぐ目的で鋼管や銅管などの金属製の配管部材が用いられていた。ところが、鋼管や銅管などの金属製の配管部材は重く、このような配管部材を配管場所に持ち込み、配管場所で所定の寸法に切断し接続するという配管作業は大変に手間がかかり、技術も要していた。
【０００４】
そこで、運搬や配管作業の手間を大幅に削減できる軽量で、加工性に優れた樹脂製の配管部材の使用が望まれていた。
【０００５】
このような要求に対し、従来より、汎用されている塩ビ管などの樹脂管を建築物の床又は壁等の防火区画を貫通する排水管又は継手に接続される排水立管の配管部材として用いることも検討された。
【０００６】
しかし、塩ビ管などの樹脂管を建築物の床又は壁等の防火区画を貫通する排水管又は継手に接続される排水立管として用いた場合、塩ビ管などの樹脂管は可燃性材料であるため、火災発生時の熱で溶融して消失してしまい、これにより排水管又は継手の管路を通じて他の防火区画への類焼を引き起こす招く恐れがあった。
【０００７】
このため、塩ビ管などの樹脂管を建築物の床又は壁等の防火区画を貫通する排水管又は継手に接続される排水立管として用いる場合には、消防法又は建築基準法上の法的規制により、排水立管の排水管又は継手との接続部分から前後１ｍを不燃材料で覆うという措置が講じなければならなかった。
【特許文献１】特開２００５−１４６５２５号公報
【発明の開示】
【発明が解決しようとする課題】
【０００８】
排水立管を覆う不燃材料には、管長方向に２つ割にされた管状部材が使用され、これをバンド状止具や粘着テープや針金等を用いて排水立管周りに固定していた。しかしながら、これらの作業は床下等の狭い場所で作業しなければならないため容易ではなく、しかもうまく固定できなかったり、固定後に脱落したりするおそれもあった。
【０００９】
本発明は、このような技術的課題に鑑みなされたものであり、中高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供することを目的とするものである。
【課題を解決するための手段】
【００１０】
上記目的を達成するため、請求項１記載の発明は、中高層集合住宅等の建築物の床又は壁等の防火区画を貫通する排水管又は継手に取り付けられる防火アタッチメントであって、
樹脂製の排水立管端部を収める収納部を有し、前記排水管又は継手の端部に取り付けることで、前記排水立管端部から排水管又は継手の端部の開口へと繋がる管路が形成されると共に、火災時の熱によって前記管路が閉塞されるようにしたことを特徴とする防火アタッチメントをその要旨とした。
【００１１】
請求項２記載の発明は、樹脂製の排水立管端部を収める収納部を有する筒状の不燃性ハウジングと、前記ハウジングの上下に貫通する貫通孔を閉塞する金属製蓋部材と、前記蓋部材の回動端部を係止する可燃性係止部とからなり、火災時の熱によって前記可燃性係止部が溶融して炭化し、これにより係止状態を解かれた前記蓋部材が回動して前記ハウジングの貫通孔を閉塞するようにしたことを特徴とする防火アタッチメントをその要旨とした。
【００１２】
請求項３記載の発明は、樹脂製の排水立管端部を収める収納部を有する筒状の不燃性ハウジングと、前記ハウジングの上下に貫通する貫通孔を閉塞する金属製蓋部材と、前記蓋部材の回動端部を磁着する磁石とからなり、火災時の熱によって前記磁石の磁力が消失し、前記蓋部材が回動して前記ハウジングの貫通孔を閉塞するようにしたことを特徴とする防火アタッチメントをその要旨とした。
【００１３】
請求項４記載の発明は、樹脂製の排水立管端部を収める収納部を有する筒状の不燃性ハウジングと、貫通孔を有し、前記ハウジング内に回転可能に軸支され、該ハウジングの上下に貫通する孔を閉塞する金属製偏心部材と、前記偏心部材を該ハウジングの上下に貫通する孔と該偏心部材の貫通孔とが連通するように該偏心部材の位置を保持する可燃性の保持部材とからなり、火災時の熱によって前記保持部材が溶融して炭化し、これに伴い前記偏心部材が重力に従って軸周りに回転し、前記ハウジングの貫通孔を閉塞するようにしたことを特徴とする防火アタッチメントをその要旨とした。
【発明の効果】
【００１４】
本発明の防火アタッチメントにあっては、建築物の床又は壁等の防火区画を貫通する排水管又は継手の端部に取り付けることで形成される樹脂製の排水立管端部から排水管又は継手の端部の開口へと繋がる管路が火災時の熱によって閉塞されるようになっているため、排水管又は継手の管路を通じた他の防火区画への類焼を確実に防止することができる。
【００１５】
またこの防火アタッチメントによれば、該防火アタッチメントを排水管又は継手の端部に取り付けることで、排水管又は継手の管路を通じた他の防火区画への類焼を確実に防止することができるため、排水立管として軽く加工性に優れる樹脂管を用いることができ、配管の作業効率をより高めることができる。
【発明を実施するための最良の形態】
【００１６】
以下、本発明の防火アタッチメントを図面に示した一形態に従ってさらに詳しく説明する。図１に示すアタッチメント１１は、建造物の上下方向に延びる排水立管１２と、建造物の各階毎に設けられて、各階の住居部分の設備等からの排水を前記排水立管１２まで導く排水横枝管１３とを接続する排水管又は継手１４の下端部１４ｂに取り付けられる。尚、以下に示すアタッチメント１１は、いずれも排水管又は継手１４の下端部１４ｂに取付けたものを例示しているが、これに限らず、排水管又は継手の上端部に取り付けることもできる。
【００１７】
図示の排水管又は継手１４は、その胴部１４ａがコンクリートスラブＣの貫通孔Ｃ１に通された後、その胴部１４ａと貫通孔Ｃ１の隙間部分がモルタルＭにより埋め戻されている。
【００１８】
本発明のアタッチメントを適用する場合、排水管又は継手１４の管路１４ｃを通じた他の防火区画への類焼が確実に防止されるため、排水立管１２には、ポリ塩化ビニル、架橋ポリエチレン、ポリプロピレン、ポリブテン、ポリエステル等の樹脂管を用いることができる。
【００１９】
以下、上述のような作用効果を奏するアタッチメントの具体例を示す。図２及び図３に示すアタッチメント２０は、排水管又は継手１４の下端部１４ｂに取り付けられる筒状の不燃性ハウジング２１と、前記ハウジング１２の上下に貫通する貫通孔２０ａを閉塞する金属製の蓋部材２２と、前記蓋部材２２の回動端部２２ａを係止する可燃性係止部２３とからなる。
【００２０】
ハウジング２１の下部には、排水立管１２の端部を収める収納部２４ａと排水立管１２の端部を収納した状態でこれを締め付け固定する拘束バンド２４ｂとが設けられており、この収納部２４ａ内に排水立管１２の端部を収め、拘束バンド２４ｂで締め付け固定することで、排水立管１２端部のハウジング２１の下部への接続がなされるようになっている。
【００２１】
また、ハウジング２１の上部には取り付け用バンド２５ｂが設けられており、この取付用バンド２５ｂに設けたボルト孔（図示しない）の位置と、排水管又は継手１４の下端部１４ｂの接続バンド１４ｄのボルト孔（図示しない）の位置とに、断面コ字形の取付片２５ａを挿入して、該取付片２５ａのボルト孔（図示しない）の位置を合わせ、これらを取付用バンド２５ｂのボルト２５ｃ、および接続バンド１４ｄのボルト１４ｅでそれぞれ締め付け固定することで、ハウジング２１の排水管又は継手下端部１４ｂへの取り付けがなされるようになっている。
【００２２】
上記のとおり、該アタッチメント２０（ハウジング２１）の下部に排水立管１２の端部を接続し、排水管又は継手１４の胴部１４ａの下端部１４ｂに該アタッチメント２０（ハウジング２１）を取り付けることで、排水立管１２端部から排水管又は継手１４の下端部１４ｂの開口へと繋がる管路が形成されるようになっている。
【００２３】
ハウジング２１の内周面下端には、蓋部材２２の下辺が回動軸２１ａに軸支されており、該蓋部材２２はハウジング２１の内周面に沿って立設状態に設けられ、その回動端部２２ａが可燃性係止部２３によって係止され、回動不能の状態となっている。そして、火災が発生し、その熱が排水立管１２を通じて、可燃性係止部２３に伝わると、該可燃性係止部２３は溶融して炭化し、該可燃性係止部２３による係止が解かれることになる。
【００２４】
これにより、蓋部材２２はその自重に従って図２中矢印方向に回動し、前記ハウジング２１の開口下端に設けた当接片部２０ｂに蓋部材２２の回動端部２２ａが当接し、貫通孔２０ａは蓋部材２２により閉塞されるようになっている。
【００２５】
図４及び図５に示す閉塞手段３０は、排水管又は継手１４の下端部１４ｂに取り付けられる筒状の鋳鉄製ハウジング３１と、前記ハウジング３１の上下に貫通する貫通孔３０ａを閉塞する鋳鉄製蓋部材３２と、前記蓋部材３２の回動端部３２ａを磁着する磁石３３とからなる。
【００２６】
ハウジング３１の下部には、排水立管１２の端部を収める収納部３４ａと排水立管１２の端部を収納した状態でこれを締め付け固定する拘束バンド３４ｂとが設けられており、この収納部３４ａ内に排水立管１２の端部を収め、拘束バンド３４ｂで締め付け固定することで、排水立管１２端部のハウジング３１の下部への接続がなされるようになっている。
【００２７】
また、ハウジング３１の上部には取り付け用バンド３５ｂが設けられており、この取付用バンド３５ｂに設けたボルト孔（図示しない）の位置と、排水管又は継手１４の下端部１４ｂの接続バンド１４ｄのボルト孔（図示しない）の位置とに、断面コ字形の取付片３５ａを挿入して、該取付片３５ａのボルト孔（図示しない）の位置を合わせ、これらを取付用バンド３５ｂのボルト３５ｃ、および接続バンド１４ｄのボルト１４ｅでそれぞれ締め付け固定することで、ハウジング３１の排水管又は継手１４の下端部１４ｂへの取り付けがなされるようになっている。
【００２８】
上記のとおり、該アタッチメント３０（ハウジング３１）の下部に排水立管１２の端部を接続し、排水管又は継手１４の胴部１４ａの下端部１４ｂに該アタッチメント３０（ハウジング３１）を取り付けることで、排水立管１２端部から排水管又は継手１４の下端部１４ｂの開口へと繋がる管路が形成されるようになっている。
【００２９】
ハウジング３１の内周面下端には、蓋部材３２の下辺が回動軸３１ａに軸支されており、該蓋部材３２はハウジング３１の内周面に沿って立設状態に設けられ、その回動端部３２ａが磁石３３によって磁着され、回動不能の状態となっている。そして、火災が発生し、その熱が排水立管１２を通じて、磁石３３に伝わると、該磁石３３はその熱によって磁力が消失し、該磁石３３による係止が解かれることになる。
【００３０】
火災時の熱によって前記磁石３３の磁力が消失し、該磁石３３による係止が解かれると、蓋部材３２はその自重に従って図４中矢印方向に回動し、前記ハウジング３１の開口下端に設けた当接片部３０ｂに蓋部材３２の回動端部３２ａが当接し、貫通孔３０ａは蓋部材３２により閉塞されるようになっている。
【００３１】
図６及び図７に示すアタッチメント４０は、排水管又は継手１４の下端部１４ｂに取り付けられる筒状の鋳鉄製ハウジング４１と、貫通孔４２ａを有し、前記ハウジング４１内に回転可能に回転軸４１ａによって軸支され、該ハウジング４１内に設けた上下に貫通する孔（図示しない）を閉塞する鋳鉄製偏心部材４２と、前記偏心部材４２を該ハウジング４１の上下に貫通する孔（図示しない）と該偏心部材４２の貫通孔４２ａとが連通するように該偏心部材４２の位置を保持する可燃性の保持部材４３とからなる。
【００３２】
ハウジング４１の下部には、排水立管１２の端部を収める収納部４４ａと排水立管１２の端部を収納した状態でこれを締め付け固定する拘束バンド４４ｂとが設けられており、この収納部４４ａ内に排水立管１２の端部を収め、拘束バンド４４ｂで締め付け固定することで、排水立管１２端部のハウジング４１の下部への接続がなされるようになっている。
【００３３】
また、ハウジング４１の上部には取り付け用バンド４５ｂが設けられており、この取付用バンド４５ｂに設けたボルト孔（図示しない）の位置と、排水管又は継手１４の下端部１４ｂの接続バンド１４ｄのボルト孔（図示しない）の位置とに、断面コ字形の取付片４５ａを挿入して、該取付片４５ａのボルト孔（図示しない）の位置を合わせ、これらを取付用バンド４５ｂのボルト４５ｃ、および接続バンド１４ｄのボルト１４ｅでそれぞれ締め付け固定することで、ハウジング４１の排水管又は継手１４の下端部１４ｂへの取り付けがなされるようになっている。
【００３４】
上記のとおり、該アタッチメント４０（ハウジング４１）の下部に排水立管１２の端部を接続し、排水管又は継手１４の胴部１４ａの下端部１４ｂに該アタッチメント４０（ハウジング４１）を取り付けることで、排水立管１２端部から排水管又は継手１４の下端部１４ｂの開口へと繋がる管路が形成されるようになっている。
【００３５】
ハウジング４１内には、貫通孔４２ａを有する鋳鉄製の偏心部材４２がハウジング４１内周面に設けた回転軸４１ａによって回転可能に軸支されている。この偏心部材４２は、ハウジング４１内に設けた可燃性の保持部材（ピン）４３によって、図６に示すように、ハウジング４１の上下に貫通する孔（図示しない）と該偏心部材４２の貫通孔４２ａとが連通する位置に保持されている。
【００３６】
火災が発生したとき、火災時の熱によって前記保持部材４３が溶融して炭化し、これにより、前記偏心部材４２が重力に従って回転軸４１ａ周りに回転し、図７に示すようにハウジング４１の上下に貫通する孔（図示しない）と該偏心部材４２の貫通孔４２ａとが連通しないようになり、前記ハウジング４１の貫通孔（図示しない）が偏心部材４２によって閉塞されるようになっている。
【００３７】
尚、本発明のアタッチメントは、排水管又は継手の端部に該アタッチメントを取り付けることで、排水立管端部から排水管又は継手の端部の開口へと繋がる管路が形成され、かつ火災時の熱で前記管路を閉塞できるものであれば何でもよく、例えば図２〜図５に示す蓋部材２２、３２をハウジング２１、３１に設けた電磁石によって開状態とし、火災時の熱によって通電が遮断されることによって蓋部材が回動し、排水管又は継手の管路を閉塞するようにしたものなど、特許請求の範囲に記載された範囲内で自由に変更することができる。
【図面の簡単な説明】
【００３８】
【図１】本発明のアタッチメントを取り付ける排水管又は継手を示す拡大断面図である。
【図２】本発明のアタッチメントの好ましい例を示し、蓋部材が開いた状態を示す拡大断面図である。
【図３】同じく図２に示すアタッチメントの蓋部材が閉じた状態を示す拡大断面図である。
【図４】本発明のアタッチメントの別の好ましい例を示し、蓋部材が開いた状態を示す拡大断面図である。
【図５】同じく図４に示すアタッチメントの蓋部材が閉じた状態を示す拡大断面図である。
【図６】本発明のアタッチメントの別の好ましい例を示し、偏心部材をハウジングの上下に貫通する孔と該偏心部材の貫通孔とが連通する位置に保持した状態を示す拡大断面図である。
【図７】同じく図６に示すアタッチメントの偏心部材が回転してハウジングの上下に貫通する孔を閉じた状態を示す拡大断面図である。
【図８】従来の排水設備を示す模式図である。
【符号の説明】
【００３９】
１２…排水立て管
１３…排水横枝管
１４…排水管又は継手
１４ｂ…下端部挿し口
２０、３０、４０…アタッチメント
【図１】
2008045672.tif 000003
【図２】
2008045672.tif 000004
【図３】
2008045672.tif 000005
【図４】
2008045672.tif 000006
【図５】
2008045672.tif 000007
【図６】
2008045672.tif 000008
【図７】
2008045672.tif 000009
【図８】
2008045672.tif 000010